Podtech/llm-jp-corpus-v4-ja_patent huggingface dataset:
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
式Ｉ
【化１】
2020502098.tif 000001
［式中、
Ｒ２’は、Ｈであり、かつ
Ｒ１及びＲ２は、ベンゾチオフェン−３−イル、イソキノリニル、［１，２，４］−オキサジアゾリル、フェニル、ピラゾリル、ピリジル、チアゾリル、１Ｈ−［１，２，４］トリアゾリル及び２Ｈ−［１，２，３］トリアゾリルから独立して選択されるか、
又は
Ｒ２とＲ２’とは、スピロベンゾフラン−３−オン環を形成しており、かつ
Ｒ１は、Ｃ１−６アルキル、ベンゾチオフェン−３−イル、イソキノリニル、［１，２，４］−オキサジアゾリル、フェニル、ピラゾリル、ピリジル、チアゾリル、１Ｈ−［１，２，４］トリアゾリル及び２Ｈ−［１，２，３］トリアゾリルから選択され、
ここで、Ｒ１及びＲ２はそれぞれ、Ｃ１−４アルキル、Ｃ３−５シクロアルキル、シクロプロピルメチル、−ＣＦ３、ハロゲン、−ＯＣＦ３、−ＯＨ、−ＯＣＨ３及びフェニルから独立して選択される１〜２個の基により場合により置換されており、
Ｒ３は、フェニル、ピリジル及びピリミジニルから選択され、
ここで、Ｒ３は、−ＳＯ２Ｃ１−３アルキル及び−ＳＯ２ＮＨＣ１−３アルキルから選択される基により置換されている］
で示される化合物又はそのエナンチオマーもしくは塩。
【請求項２】
Ｒ２’が、Ｈであり、かつ
Ｒ１及びＲ２が、ベンゾチオフェン−３−イル、イソキノリン−５−イル、［１，２，４］−オキサジアゾール−５−イル、フェニル、４−及び５−ピラゾリル、２−及び３−ピリジル、チアゾール−２−イル、１Ｈ−［１，２，４］トリアゾール−５−イル及び２Ｈ−［１，２，３］トリアゾール−５−イルから独立して選択されるか、
又は
Ｒ２とＲ２’とが、スピロベンゾフラン−３−オン環を形成してもよく、かつ
Ｒ１が、イソプロピル、ベンゾチオフェン−３−イル、イソキノリン−５−イル、［１，２，４］−オキサジアゾール−５−イル、フェニル、４−及び５−ピラゾリル、２−及び３−ピリジル、チアゾール−２−イル、１Ｈ−［１，２，４］トリアゾール−５−イル及び２Ｈ−［１，２，３］トリアゾール−５−イルから選択され、
Ｒ１及びＲ２がそれぞれ、Ｃ１−４アルキル、Ｃ３−５シクロアルキル、シクロプロピルメチル、−ＣＦ３、Ｃｌ、−ＯＣＦ３、−ＯＨ、−ＯＣＨ３及びフェニルから独立して選択される１〜２個の基により場合により置換されており、
Ｒ３が、フェニル、２−及び３−ピリジル並びに２−ピリミジニルから選択され、
ここで、Ｒ３が、−ＳＯ２ＣＨ２ＣＨ３及び−ＳＯ２ＮＨＣＨ３から選択される基により置換されている、請求項１記載の式（Ｉ）で示される化合物又はそのエナンチオマーもしくは塩。
【請求項３】
Ｒ２’が、Ｈであり、かつ
Ｒ１及びＲ２が、ベンゾチオフェン−３−イル、イソキノリン−５−イル、フェニル、４−及び５−ピラゾリル、２−ピリジル並びに１Ｈ−［１，２，４］トリアゾール−５−イルから独立して選択されるか、
又は
Ｒ２とＲ２’とが、スピロベンゾフラン−３−オン環を形成してもよく、かつ
Ｒ１が、イソプロピル、ベンゾチオフェン−３−イル、イソキノリン−５−イル、フェニル、４−及び５−ピラゾリル、２−ピリジル並びに１Ｈ−［１，２，４］トリアゾール−５−イルから選択され、
ここで、Ｒ１及びＲ２がそれぞれ、Ｃ１−４アルキル、Ｃ３−５シクロアルキル、シクロプロピルメチル、−ＣＦ３、Ｃｌ、−ＯＣＦ３、−ＯＨ及び−ＯＣＨ３から独立して選択される１〜２個の基により場合により置換されており、
Ｒ３が、フェニル及び２−ピリジルから選択され、
ここで、Ｒ３が、−ＳＯ２ＣＨ２ＣＨ３及び−ＳＯ２ＮＨＣＨ３から選択される基により置換されている、請求項１記載の式（Ｉ）で示される化合物又はそのエナンチオマーもしくは塩。
【請求項４】
Ｒ２’が、Ｈであり、かつ
Ｒ１及びＲ２が、イソプロピル、フェニル、４−及び５−ピラゾリル並びに２−ピリジルから独立して選択されるか、
又は
Ｒ２とＲ２’とが、スピロベンゾフラン−３−オン環を形成してもよく、かつ
Ｒ１が、イソプロピル及びフェニルから選択され、
ここで、Ｒ１及びＲ２がそれぞれ、メチル、イソプロピル、tert−ブチル、シクロプロピル、シクロペンチル、−ＣＦ３、Ｃｌ及び−ＯＣＦ３から独立して選択される１〜２個の基により場合により置換されており、
Ｒ３が、フェニル及び２−ピリジルから選択され、
ここで、Ｒ３が、−ＳＯ２ＣＨ２ＣＨ３及び−ＳＯ２ＮＨＣＨ３から選択される基により置換されている、請求項１記載の式（Ｉ）で示される化合物又はそのエナンチオマーもしくは塩。
【請求項５】
以下
【表１】
2020502098.tif 000002
2020502098.tif 000003
2020502098.tif 000004
2020502098.tif 000005
2020502098.tif 000006
からなる群より選択される請求項１記載の化合物、又はそのエナンチオマーもしくは塩。
【請求項６】
請求項１記載の化合物又はそのエナンチオマーもしくは塩を含む、医薬組成物。
【請求項７】
自己免疫疾患又はアレルギー性障害を処置するための、請求項６記載の医薬組成物。
【請求項８】
自己免疫疾患又はアレルギー性障害が、関節リウマチ、乾癬、全身性エリテマトーシス、ループス腎炎、強皮症、喘息、アレルギー性鼻炎、アレルギー性湿疹、多発性硬化症、若年性関節リウマチ、若年性特発性関節炎、Ｉ型糖尿病、炎症性腸疾患、移植片対宿主疾患、乾癬性関節炎、反応性関節炎、強直性脊椎炎、クローン病、潰瘍性大腸炎、ブドウ膜炎及び非Ｘ線撮影性脊椎関節症から選択される、請求項７記載の医薬組成物。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
７２０℃〜１２００℃の温度を含む反応条件下での炭酸リチウム及び炭素元素または炭素元素を形成する炭素源からの粉末状酸化リチウムの製造方法であって、
前記反応が、実質的な酸素排除下で行われ、また、前記反応が、ガラス状炭素、アルミン酸リチウム、炭素コーティングっセラミック及び炭素コーティング石英ガラスからなる群から選択される生成物接触表面を有する容器において実施される、ことを特徴とする、前記方法。
【請求項２】
７２０℃〜１２００℃の温度を含む反応条件下での炭酸リチウム及び炭素元素または炭素元素を形成する炭素源からの粉末状酸化リチウムの製造方法であって、
前記反応が、移動床反応器において実施される、ことを特徴とする前記方法。
【請求項３】
前記炭素元素は、前記炭酸リチウム対前記炭素の化学量論比が１：０．５〜１：１．５の炭酸リチウムと反応されることを特徴とする、請求項１または２に記載の方法。
【請求項４】
前記炭素元素が、最大で１重量％までの硫黄分及び最大で２重量％までのケイ素分を有するカーボンブラックまたは活性炭の形態で使用されることを特徴とする、請求項１または２に記載の方法。
【請求項５】
前記炭素元素を形成する炭素源は、糖、メタン、デンプン、セルロース、パラフィンろう及び石油からなる群から選択される有機材料または有機材料混合物であることを特徴とする、請求項１または２に記載の方法。
【請求項６】
前記反応温度が、８００℃及び９５０℃の間の範囲であることを特徴とする、請求項１または２に記載の方法。
【請求項７】
前記反応が、０．０１〜２ｂａｒの圧力範囲の不活性ガス雰囲気下で実施され、かつ、不活性ガス雰囲気下は窒素、希ガス、及び前記の2種以上から選択される、ことを特徴とする、請求項１または２に記載の方法。
【請求項８】
前記反応が、移動床反応器において実施されることを特徴とする、請求項１に記載の方法。
【請求項９】
前記反応が、回転反応器において、または循環流動床反応器において実施されることを特徴とする、請求項１または２に記載の方法。
【請求項１０】
請求項1または２により得られる酸化リチウムの、酸化リチウムを水に溶解することによる純粋な水酸化リチウム溶液を製造するための使用であって、水の量が、水酸化リチウム（ＬｉＯＨ）が少なくとも８重量％の濃度を有しかつ不溶性の構成成分が濾過または遠心分離によって除去されるように選択される、前記使用。
【請求項１１】
請求項１または２によって得られる酸化リチウムの、リチウム電池用カソード材料の製造のため使用であって、酸化リチウムが破砕または粉末化による事前の改変を伴っていない、使用。
【請求項１２】
請求項１または２によって得られる酸化リチウムの、ガラス、ガラスセラミックスまたは結晶性セラミックスの製造のための使用であって、酸化リチウムが破砕または粉末化による事前の改変を伴っていない、使用。
【請求項１３】
請求項１２による酸化リチウムの使用であって、前記ガラス、ガラスセラミックスまたはセラミックスが、室温で少なくとも１０-5Ｓ／ｃｍのリチウム導電率を有することを特徴とする、使用。
【請求項１４】
請求項１または２に記載の方法であって、前記反応が０．１ｍｂａｒから５０ｍｂａｒまでの範囲内の圧力における減圧条件下行われる、方法。
【請求項１５】
請求項１または２に記載の方法により製造される粉末状酸化リチウムであって、流動性であり、かつ炭素元素として測定すると約０．１重量％の炭素含有量を有する、粉末状酸化リチウム。
【手続補正２】
【補正対象書類名】明細書
【補正対象項目名】００１０
【補正方法】変更
【補正の内容】
【００１０】
本発明によると、上記目的は、炭酸リチウムを７２０〜１２００℃の温度範囲の反応条件下で炭素元素または炭素元素を形成する炭素源と反応させる方法であって、当該反応が実質的な酸素排除条件下で起こり、また、当該反応が、生成物含有表面が反応体及び生成物に耐食性である容器において実施される、上記方法によって達成される。上記反応は、減圧、例えば「技術的真空」（すなわち、０．１〜５０ｍｂａｒの圧力範囲）下、または約０．５〜２ｂａｒの圧力において炭素に不活性もしくは実質的に不活性なガスの雰囲気下のいずれかで実施される。好ましくは窒素もしくは希ガス（好ましくはアルゴン）または不活性ガスの混合物が不活性ガス雰囲気として使用され得る。本発明の主たる態様は次のとおりである。
態様１：７２０〜１２００℃の温度範囲の反応条件下での炭酸リチウム及び炭素元素または炭素元素を形成する炭素源からの粉末状酸化リチウムの製造方法であって、前記反応が、実質的な酸素排除下で行われ、また、前記反応が、生成物含有表面が反応体及び生成物に耐食性である容器において実施されることを特徴とする、前記方法。
態様２：前記炭素元素は、前記炭酸リチウム対前記炭素の化学量論比が１：０．５〜１：１．５で反応することを特徴とする、態様１に記載の方法。
態様３：前記炭素元素が、最大で１重量％の硫黄分及び最大で２重量％のケイ素分を有するカーボンブラックまたは活性炭の形態で使用されることを特徴とする、態様１〜２のいずれか１に記載の方法。
態様４：糖、メタン、デンプン、セルロース、パラフィンろうまたは石油からなる群から選択される有機材料または有機材料混合物が、炭素元素源として使用されることを特徴とする、態様１〜３のいずれか１に記載の方法。
態様５：前記反応が、生成物接触表面がガラス状炭素、アルミン酸リチウム、炭素コーティングセラミックスまたはＣコーティング石英からなる反応ベッセルにおいて実施されることを特徴とする、態様１〜４のいずれか１に記載の方法。
態様６：前記反応が、生成物接触反応ベッセル壁が固体化溶融塩からなる反応ベッセルにおいて実施されることを特徴とする、態様５に記載の方法。
態様７：前記反応温度が、８００℃及び９５０℃の間の範囲であることを特徴とする、態様１〜６のいずれか１に記載の方法。
態様８：前記反応が、０．０１〜２ｂａｒの圧力範囲で実施されることを特徴とする、態様１〜７のいずれか１に記載の方法。
態様９：前記反応が、移動床反応器において実施されることを特徴とする、態様１〜８のいずれか１に記載の方法。
態様１０：前記反応が、回転反応器において、または循環流動床反応器において実施されることを特徴とする、態様９に記載の方法。
態様１１：前記反応生成物を水に溶解することによる純粋な水酸化リチウム溶液の製造のための、態様１〜１０のいずれか１によって得られる酸化リチウムの使用であって、水の量が、前記反応生成物である水酸化リチウムＬｉＯＨが少なくとも８重量％の濃度を有しかつ不溶性の構成成分が濾過または遠心分離によって除去されるように選択される、前記使用。
態様１２：リチウム電池用カソード材料の製造のための、態様１〜１０のいずれか１によって得られる酸化リチウムの使用。
態様１３：ガラス、ガラスセラミックスまたは結晶性セラミックスの製造のための、態様１〜１０のいずれか１によって得られる酸化リチウムの使用。
態様１４：前記ガラス、ガラスセラミックスまたはセラミックスが、室温で少なくとも１０-5Ｓ／ｃｍのリチウム導電率を有することを特徴とする、態様１３に記載の酸化リチウムの使用。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
グラフェンナノシートを作製するためのプラズマプロセスであって、
プラズマトーチの注入ノズルを通して標準温度および標準圧力（ＳＴＰ）で少なくとも６０ｍ／ｓの速度でプラズマの熱領域中に炭素含有物質を注入して前記グラフェンナノシートの核を形成することと、
クエンチガスを前記プラズマトーチの内部にかつ前記炭素含有物質とは別に注入することと、
前記グラフェンナノシートを１０００℃以下のクエンチガスでクエンチすることとを含み、
前記グラフェンナノシートは約０．７重量％未満の多環芳香族炭化水素濃度を有する、
プラズマプロセス。
【請求項２】
前記グラフェンナノシートは約０．０１重量％〜約０．５重量％未満の多環芳香族炭化水素濃度を有する、請求項１に記載のプロセス。
【請求項３】
前記グラフェンナノシートは約０．０１重量％〜約０．３重量％未満の多環芳香族炭化水素濃度を有する、請求項１に記載のプロセス。
【請求項４】
前記グラフェンナノシートは約０．１重量％〜約０．３重量％未満の多環芳香族炭化水素濃度を有する、請求項１に記載のプロセス。
【請求項５】
前記炭素含有物質は、１分あたりの炭素１モルあたりのクエンチガスが約１００ｓｌｐｍ〜約２５０ｓｌｐｍのクエンチガス対炭素比で注入される、請求項４に記載のプロセス。
【請求項６】
前記グラフェンナノシートは約０．１５重量％〜約０．２５重量％未満の多環芳香族炭化水素濃度を有する、請求項１に記載のプロセス。
【請求項７】
前記グラフェンナノシートは６００℃未満の温度を有するクエンチガスでクエンチされる、請求項１に記載のプロセス。
【請求項８】
前記グラフェンナノシートは３００℃未満の温度を有するクエンチガスでクエンチされる、請求項１に記載のプロセス。
【請求項９】
前記炭素含有物質は、１分あたりの炭素１モルあたりのクエンチガスが少なくとも５０ｓｌｐｍのクエンチガス対炭素比で注入される、請求項１に記載のプロセス。
【請求項１０】
前記炭素含有物質は、１分あたりの炭素１モルあたりのクエンチガスが少なくとも１６０ｓｌｐｍのクエンチガス対炭素比で注入される、請求項１に記載のプロセス。
【請求項１１】
前記炭素含有物質は、１分あたりの炭素１モルあたりのクエンチガスが少なくとも２５０ｓｌｐｍのクエンチガス対炭素比で注入される、請求項１に記載のプロセス。
【請求項１２】
前記炭素含有物質は、１分あたりの炭素１モルあたりのクエンチガスが約５０ｓｌｐｍ〜約１２５ｓｌｐｍのクエンチガス対炭素比で注入される、請求項１に記載のプロセス。
【請求項１３】
前記炭素含有ガスはＣ１〜Ｃ４炭化水素である、請求項１に記載のプロセス。
【請求項１４】
前記炭素含有物質はメタンまたは天然ガスである、請求項１に記載のプロセス。
【請求項１５】
前記クエンチガスは、供給プラズマトーチ電力１ｋＷにつき１〜１０ｓｌｐｍのガスの割合で給送される、請求項１に記載のプロセス。
【請求項１６】
前記熱領域は約４０００℃〜約１１０００℃の温度を有する、請求項１に記載のプロセス。
【請求項１７】
前記熱領域は約２６００℃〜約５０００℃の温度を有する、請求項１に記載のプロセス。
【請求項１８】
前記炭素含有物質は約６０〜約１００ｍ／ｓ  ＳＴＰの速度で注入される、請求項１に記載のプロセス。
【請求項１９】
グラフェンナノシートを作製するためのプラズマプロセスであって、
少なくとも６０ｍ／ｓ  ＳＴＰの速度、および１分あたりに注入される炭素１モルあたりのクエンチガスが少なくとも７５標準リットル毎分（ｓｌｐｍ）のクエンチガス対炭素比で、注入ノズルを通してプラズマの熱領域中に炭素含有物質からなる少なくとも１つのジェットを注入し、それにより前記グラフェンナノシートを作製することを含み、
前記グラフェンナノシートは約０．７重量％未満の多環芳香族炭化水素濃度を有する、
プラズマプロセス。
【請求項２０】
グラフェンナノシートを作製するためのプラズマプロセスであって、
プラズマトーチの注入ノズルを通してプラズマの熱領域中に炭素含有物質を注入することであって、前記炭素含有物質の前記注入は、複数のジェットを使用して少なくとも６０ｍ／ｓ  ＳＴＰの速度で実行され、前記注入された炭素含有物質がトーチ軸の周りに放射状に分配かつ、前記プラズマトーチの内部にかつ前記炭素含有物質とは別に注入されたクエンチガスに到達する前に希釈されるように誘導され、それにより５１４ｎｍの入射レーザ波長を使用した測定で３以上のラマンＧ／Ｄ比および０．８以上のラマン２Ｄ／Ｇ比を有する前記グラフェンナノシートを作製することを含む、
プラズマプロセス。
【手続補正書】
【提出日】令和2年11月25日(2020.11.25)
【手続補正１】
【補正対象書類名】明細書
【補正対象項目名】００３３
【補正方法】変更
【補正の内容】
【００３３】
図３を参照すると、図２Ａ〜Ｃの各例（Ａ）、（Ｂ）、（Ｃ）について、ドロー高さ位置Ｘに対する温度変化のプロット６０を示している。位置Ｘは、ベル部からの距離であり、そこでは、ガラス温度は、一定に保たれ、時間の経過と共に変化しない。位置Ｘにおいて、そのようなガラス温度変化を、経時測定している。図から分かるように、長い方のマッフル部１５４ｃの方が、短い方のマッフル部１５４ａ、１５４ｂより、ベル部からの距離Ｘに亘って、ガラス温度プロファイルが安定している（０．１℃未満）。実際、長い方のマッフル部１５４ｃは、０．１℃未満など、約０．５℃未満の温度変化を有し、一方、短い方のマッフル部１５４ａは、０．５℃より大きい温度変化を有する。
【手続補正２】
【補正対象書類名】図面
【補正対象項目名】図３
【補正方法】変更
【補正の内容】
【図３】
2020502021.tif 000001
【手続補正３】
【補正対象書類名】図面
【補正対象項目名】図１３
【補正方法】変更
【補正の内容】
【図１３】
2020502021.tif 000002
【手続補正４】
【補正対象書類名】図面
【補正対象項目名】図１４
【補正方法】変更
【補正の内容】
【図１４】
2020502021.tif 000003
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
【化１】
2020502066.tif 000001
からなる群から選択される化合物。
【請求項２】
前記化合物が、
【化２】
2020502066.tif 000002
からなる、請求項１に記載の化合物。
【請求項３】
前記化合物が、
【化３】
2020502066.tif 000003
からなる、請求項１に記載の化合物。
【請求項４】
Ｒｈｏ関連プロテインキナーゼ調節に関連する疾患を処置または予防するための医薬組成物であって、請求項１〜３のいずれか一項に記載の化合物、そのエナンチオマー、２つ以上のジアステレオマーの混合物、またはそれらの薬学的に許容される塩、溶媒和物、水和物もしくは生理学的機能性誘導体を含む、医薬組成物。
【請求項５】
さらに薬学的に許容される担体を含む、請求項４に記載の医薬組成物。
【請求項６】
請求項４または５に記載の医薬組成物であって、Ｒｈｏ関連プロテインキナーゼ調節に関連する前記疾患が血管新生要素を有する眼障害を含み、前記医薬組成物がさらに血管新生阻害剤を含む、医薬組成物。
【請求項７】
請求項４または５に記載の医薬組成物であって、Ｒｈｏ関連プロテインキナーゼ調節に関連する前記疾患が緑内障を含む、医薬組成物。
【請求項８】
請求項４または５に記載の医薬組成物であって、Ｒｈｏ関連プロテインキナーゼ調節に関連する前記疾患が、胃がん、膵がん、および黒色腫からなる群から選択される、医薬組成物。
【請求項９】
請求項４または５に記載の医薬組成物であって、Ｒｈｏ関連プロテインキナーゼ調節に関連する前記疾患が移植片対宿主病（ＧＶＨＤ）を含む、医薬組成物。
【請求項１０】
請求項４または５に記載の医薬組成物であって、Ｒｈｏ関連プロテインキナーゼ調節に関連する前記疾患が線維性障害を含む、医薬組成物。
【請求項１１】
前記線維性障害が、肝線維症、肺線維症、または腎線維症を含む、請求項１０に記載の医薬組成物。
【請求項１２】
請求項４または５に記載の医薬組成物であって、Ｒｈｏ関連プロテインキナーゼ調節に関連する前記疾患が乾癬を含む、医薬組成物。
【請求項１３】
請求項４または５に記載の医薬組成物であって、Ｒｈｏ関連プロテインキナーゼ調節に関連する前記疾患が急性骨髄性白血病（ＡＭＬ）を含む、医薬組成物。
【請求項１４】
前記ＡＭＬがＩＴＤ−ＦＬＴ３＋ＡＭＬからなる、請求項１３に記載の医薬組成物。
【請求項１５】
請求項４または５に記載の医薬組成物であって、Ｒｈｏ関連プロテインキナーゼ調節に関連する前記疾患が：自己免疫障害、心血管障害、炎症、中枢神経系障害、動脈血栓性障害、線維性障害、緑内障、新生物疾患、メタボリックシンドローム、インスリン抵抗性、高インスリン血症、２型糖尿病、耐糖能障害、骨粗鬆症、血管新生要素を有する眼障害、血液性悪性新生物障害からなる群から選択され；ここで
前記自己免疫障害が、関節リウマチ、多発性硬化症、全身性エリテマトーデス（ＳＬＥ）、乾癬、クローン病、アトピー性皮膚炎、湿疹、または移植片対宿主病（ＧＶＨＤ）であり；
前記心血管障害が、高血圧症、アテローム動脈硬化症、再狭窄、心肥大、高眼圧症、脳虚血、脳血管攣縮、または勃起不全であり；
前記炎症が、喘息、心血管炎症、腎炎症、または動脈硬化症であり；
前記中枢神経系障害が、ハンチントン病、パーキンソン病、アルツハイマー病、筋萎縮性側索硬化症（ＡＬＳ）、および多発性硬化症からなる群から選択されるニューロン変性または脊髄損傷であり；
前記動脈血栓性障害が、血小板凝集、または白血球凝集であり；
前記線維性障害が、肝線維症、肺線維症、または腎線維症であり；
前記緑内障が、原発開放隅角緑内障、急性閉塞隅角緑内障、色素性緑内障、先天性緑内障、正常眼圧緑内障、または続発性緑内障であり；
前記新生物疾患が、リンパ腫、癌腫、白血病、肉腫、芽細胞腫、扁平上皮がん、小細胞肺がん、下垂体がん、食道がん、星細胞腫、軟部組織肉腫、非小細胞肺がん、肺腺癌腫、肺扁平上皮癌腫、腹膜がん、肝細胞がん、胃腸がん、膵がん、神経膠芽腫、子宮頸がん、卵巣がん、肝臓がん、膀胱がん、肝細胞癌腫、乳がん、結腸がん、結腸直腸がん、子宮内膜もしくは子宮癌腫、唾液腺癌腫、腎臓がん、肝臓がん、前立腺がん、外陰がん、甲状腺がん、肝癌腫、脳がん、子宮内膜がん、精巣がん、胆管細胞癌腫、胆嚢癌腫、胃がん、黒色腫、または頭頸部がんであり；
前記眼障害が、加齢性黄斑変性（ＡＭＤ）、脈絡膜新血管形成（ＣＮＶ）、糖尿病黄斑浮腫（ＤＭＥ）、虹彩新血管形成、ぶどう膜炎、血管新生緑内障、または未熟児の網膜炎（ＲＯＰ）であり；
前記血液性悪性新生物障害が、白血病、骨髄腫、骨髄増殖性疾患、骨髄異形成症候群、ホジキン病、骨髄腫、急性リンパ球性白血病（ＡＬＬ）、急性骨髄性白血病（ＡＭＬ）、急性前骨髄球性白血病（ＡＰＬ）、慢性リンパ球性白血病（ＣＬＬ）、慢性骨髄性白血病（ＣＭＬ）、慢性好中球性白血病（ＣＮＬ）、急性未分化型白血病（ＡＵＬ）、未分化大細胞リンパ腫（ＡＬＣＬ）、前リンパ球性白血病（ＰＭＬ）、若年性骨髄単球性白血病（ＪＭＭＬ）、成人Ｔ細胞ＡＬＬ、三血球系骨髄形成異常を伴うＡＭＬ（ＡＭＬＩＴＭＤＳ）、混合型白血病（ＭＬＬ）、骨髄異形成症候群（ＭＤＳ）、骨髄増殖性障害（ＭＰＤ）、および多発性骨髄腫（ＭＭ）からなる群から選択される、医薬組成物。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
実質的に円形のヘッドマウント部と；
前記ヘッドマウント部内にあるトリガマウント部と；
前記トリガマウント部を前記ヘッドマウント部に接続する複数のアームと；
複数の調節要素と；
を備え、
前記調節要素の各々は、前記代替演奏面のサイズに合わせるように前記アームのうちの１つの少なくとも一部に沿ってスライド可能であり、
前記調節要素の各々は、前記代替演奏面を実質的に保持するように所定の位置に固定することができる、
トリガトレイ。
【請求項２】
前記トリガマウント部が前記ヘッドマウント部の中央にある、請求項１に記載のトリガトレイ。
【請求項３】
前記複数のアームが３つ又はそれ以上のアームを含んでいる、請求項１に記載のトリガトレイ。
【請求項４】
前記複数のアームの各々は、代替演奏面を保持するように構成された取り付け面を含んでいる、請求項１に記載のトリガトレイ。
【請求項５】
前記取り付け面の各々は、それぞれのアームの２つ又はそれ以上のプロングによって形成された平面である、請求項４に記載のトリガトレイ。
【請求項６】
前記取り付け面上に代替演奏面を更に備えている、請求項４に記載のトリガトレイ。
【請求項７】
前記アームは、前記ヘッドマウント部から前記トリガマウント部分へ概ね下方に傾斜している、請求項１に記載のトリガトレイ。
【請求項８】
前記ヘッドマウント部は、その下部にカットアウトを画定するように形成されている、請求項１に記載のトリガトレイ。
【請求項９】
壁を含んだドラムシェルであって、前記壁はベアリングエッジを含んでいるドラムシェルと；
トリガマウント部と、ヘッドマウント部と、前記ヘッドマウント部を前記トリガマウント部に接続する複数のアームと、複数の調節要素であって、前記調節要素の各々は、前記代替演奏面のサイズに合わせるように前記アームのうちの１つの少なくとも一部に沿ってスライド可能であり、前記調節要素の各々は、前記代替演奏面を実質的に保持するように所定の位置に固定することができる、複数の調整要素とを含んだトリガトレイであって、前記ヘッドマウント部が前記壁上にあるトリガトレイと；
前記トリガトレイ上にあるドラムヘッドと；
を備え、
前記ヘッドマウント部は、その底面にカットアウトを画定するように形成されており、
前記ベアリングエッジが前記カットアウト内にある、
ドラムアセンブリ。
【請求項１０】
前記トリガマウント部上にトリガを更に備え、前記トリガは前記ドラムヘッドの下部に接続されている、請求項９に記載のドラムアセンブリ。
【請求項１１】
前記ヘッドマウント部及び前記ベアリングエッジは実質的に円形である、請求項９に記載のドラムアセンブリ。
【請求項１２】
前記トリガマウント部は、前記ヘッドマウント部の実質的に中央にある、請求項９に記載のドラムアセンブリ。
【請求項１３】
前記ドラムヘッド上にドラムフープを更に備えている、請求項９に記載のドラムアセンブリ。
【請求項１４】
前記アームは、前記トリガマウント部が前記ドラムヘッドの下にあり且つ前記トリガマウント部の高さが前記ベアリングエッジの高さよりも低くなるように、前記ヘッドマウント部から前記トリガマウント部へ概ね下方に傾斜している、請求項９に記載のドラムアセンブリ。
【請求項１５】
壁と；
前記壁上のトリガトレイであって、前記壁のベアリングエッジ上にある実質的に円形のヘッドマウント部と、前記ヘッドマウント部内にあるトリガマウント部と、前記ヘッドマウント部を前記トリガマウント部に接続する複数のアームと、複数の調節要素であって、前記調節要素の各々は、前記代替演奏面のサイズに合わせるように前記アームのうちの１つの少なくとも一部に沿ってスライド可能であり、前記調節要素の各々は、前記代替演奏面を実質的に保持するように所定の位置に固定することができる、複数の調整要素と、を含んだトリガトレイと；
前記トリガトレイ上のドラムヘッドと；
を備えたドラムアセンブリであって、
前記トリガトレイは、前記ドラムヘッドの下にトリガを保持するように構成され、
前記トリガトレイと前記ドラムヘッドとは、前記ドラムヘッドの振動が前記トリガトレイに伝達されるように機械的に連結されている、ドラムアセンブリ。
【請求項１６】
トリガを更に備えている、請求項１５に記載のドラムアセンブリ。
【請求項１７】
前記トリガは、前記ドラムヘッドの下部に接続されている、請求項１６に記載のドラムアセンブリ。
【請求項１８】
前記ヘッドマウント部は、カットアウトを画定するように形成されている、請求項１５に記載のドラムアセンブリ。
【請求項１９】
前記ヘッドマウント部の底部は前記壁のベアリングエッジ上にある、請求項１８に記載のドラムアセンブリ。
【請求項２０】
トリガを更に含み、
前記トリガは、前記トリガトレイに伝達される前記ドラムヘッドの振動によって作動するように構成されている、請求項１５に記載のドラムアセンブリ。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
ビーム成形およびステアリングアセンブリであって、
入力ビームの第１の横断方向ビーム形状を第２のビームの第２の横断方向ビーム形状に変換するように構成された第１の光学構成要素と、
前記第２の横断方向ビーム形状を、前記第２のビームの光軸を中心に回転させるように構成された第２の光学構成要素と、
目標位置における出力ビームの第１の位置または前記目標位置における前記出力ビームの中心の第１の入射角のうちの１つを調整するように構成された第３の光学構成要素と、を備えるビーム成形およびステアリングアセンブリ。
【請求項２】
前記第１の光学構成要素を通る最大±３ｍｍの前記入力ビームの変位は、前記第２の横断方向ビーム形状を変化させない、請求項１に記載のビーム成形およびステアリングアセンブリ。
【請求項３】
前記第１の光学構成要素は、アナモルフィックプリズム対を含む、請求項１に記載のビーム成形およびステアリングアセンブリ。
【請求項４】
ビームダンプをさらに備え、
前記第１の光学構成要素は、前記入力ビームの複数の光波長を空間的に分離し、
前記ビームダンプは、第１の波長で前記第１の光学構成要素からの出力を受け取るように配置される、請求項１のビーム成形およびステアリングアセンブリ。
【請求項５】
第２の波長を有する前記第２のビームを受け取り、前記第２のビームを前記第３の光学構成要素に向けるように構成された変向ミラーをさらに備える請求項４に記載のビーム成形およびステアリングアセンブリ。
【請求項６】
前記第２の光学構成要素は、鳩プリズムを含む、請求項１に記載のビーム成形およびステアリングアセンブリ。
【請求項７】
前記第３の光学構成要素は、光学窓を含む、請求項１に記載のビーム成形およびステアリングアセンブリ。
【請求項８】
前記第１の光学構成要素、前記第２の光学構成要素、および前記第３の光学構成要素を支持するシャーシをさらに備え、
前記シャーシは、前記第２のビームを受け取る受光光学構成要素を有するデバイスが実装されたプリント回路基板（ＰＣＢ）を含み、
前記デバイスを含むプリント回路基板の領域は、前記ビーム成形およびステアリングアセンブリに対するデバイスの動きを低減するようにシャーシに取り付けられる、請求項１に記載のビーム成形およびステアリングアセンブリ。
【請求項９】
前記目標位置における前記出力ビームの第２の位置または第２の入射角のうちの１つを調整するように構成された第４の光学構成要素をさらに備える請求項１に記載のビーム成形およびステアリングアセンブリ。
【請求項１０】
前記第４の光学構成要素に対する調整によって生じる前記目標位置における前記出力ビームへの第１の影響は、前記第３の光学構成要素に対する調整によって生じる目標位置における出力ビームへの第２の影響に実質的に影響せず、またその逆も同様である、請求項９に記載のビーム成形およびステアリングアセンブリ。
【請求項１１】
前記第３の光学構成要素に結合された第１のアクチュエータと、
前記第４の光学構成要素に結合された第２のアクチュエータと、を備え、
前記第１のアクチュエータおよび前記第２のアクチュエータの各々は、同一平面に実質的に平行な回転駆動シャフトを含む、請求項９に記載のビーム成形およびステアリングアセンブリ。
【請求項１２】
前記第１のアクチュエータおよび前記第２のアクチュエータの回転駆動シャフトは、実質的に平行である、請求項１１に記載のビーム成形およびステアリングアセンブリ。
【請求項１３】
前記第３の光学構成要素によってもたらされる前記目標位置における前記出力ビームへの変化は、前記第４の光学構成要素によってもたらされる前記目標位置における前記出力ビームへの変化と実質的に直交する次元である、請求項１１に記載のビーム成形およびステアリングアセンブリ。
【請求項１４】
前記第３の光学構成要素は、前記目標位置における前記出力ビームの第１の入射角を調整するように構成され、
前記目標位置における出力ビームの第２の入射角を調整するように構成された第４の光学構成要素と、
前記目標位置における出力ビームの第１の位置を調整するように構成された第５の光学構成要素と、
前記目標位置における出力ビームの第２の位置を調整するように構成された第６の光学構成要素と、をさらに備える請求項１に記載のビーム成形およびステアリングアセンブリ。
【請求項１５】
前記第３および第４の光学構成要素が集束レンズの第１の側に配置され、前記第５および第６の光学構成要素が前記集束レンズの第２の側に配置されるように構成された前記集束レンズをさらに備える請求項１４に記載のビーム成形およびステアリングアセンブリ。
【請求項１６】
前記第１の入射角は、前記目標位置における出力ビームのピッチ角であり、
前記第２の入射角は、前記目標位置における出力ビームのヨー角であり、
前記第１の位置は、前記目標位置における出力ビームのＸ方向の位置であり、
前記第２の位置は、前記目標位置における出力ビームのＹ方向の位置であり、
前記Ｘ方向と前記Ｙ方向は直交している、請求項１４に記載のビーム成形およびステアリングアセンブリ。
【請求項１７】
前記第２の横断方向ビーム形状は、実質的に楕円形であり、前記第１の横断方向ビーム形状は、実質的に円形である、請求項１に記載のビーム成形およびステアリングアセンブリ。
【請求項１８】
光ビームステアリング装置であって、
第１の光学窓を回転させるように構成された第１の回転アクチュエータと、
第２の光学窓を回転させるように構成された第２の回転アクチュエータと、
レンズと、を備え、
前記第１の光学窓の回転によって、目標位置における光ビームの横方向位置を調整し、前記第２の光学窓の回転によって、前記横方向位置を１０ミクロンを超えて変更することなく前記目標位置における前記ビームの入射角を調整する、光ビームステアリング装置。
【請求項１９】
前記第１の回転アクチュエータの回転駆動シャフトは、前記第２の回転アクチュエータの回転駆動シャフトと実質的に平行である、請求項１８に記載の光ビームステアリング装置。
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
新生児における脳損傷の検査のための方法であって、
ａ）前記新生児からの試料中のアルファ−Ｂクリスタリンのレベルを分析することと、任意に
ｂ）アルファ−Ｂクリスタリンの前記レベルを参照値と比較することと、
を含み、
前記試料が、血液試料である方法。
【請求項２】
前記新生児が、３７週以下の妊娠期間で生まれた早産児である、請求項１に記載の検査方法。
【請求項３】
前記新生児が、２８００ｇ未満の出生時体重を有する、請求項１〜２のいずれか１項に記載の検査方法。
【請求項４】
前記試料が、生後１時間以内に前記新生児から採取されたものである、請求項１〜３のいずれか１項に記載の検査方法。
【請求項５】
検査された脳損傷が、炎症、虚血性または出血性脳損傷である、請求項１〜４のいずれか１項に記載の検査方法。
【請求項６】
前記検査された脳損傷が、脳室周囲白質軟化症または脳室内出血である、請求項５に記載の検査方法。
【請求項７】
新生児における脳損傷を予測するための診断または予後診断方法における使用のためのアルファ−Ｂクリスタリンに対する抗体。
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
質量分析により、サンプル中の、Ｎ−アセチルスレオニン、ＴＭＡＰ、フェニルアセチルグルタミン、トリプトファン、クレアチニン、メソ−エリトリトール、アラビトール、ミオ−イノシトール、Ｎ−アセチルセリン、Ｎ−アセチルアラニン、３−メチルヒスチジン、ｔｒａｎｓ−４−ヒドロキシプロリン、キヌレニン、尿素、Ｃ−グリコシルトリプトファン、３−インドキシルスルファート、プソイドウリジン、及びそれらの組合せからなる群から選択される１種又は複数の分析物の量を決定するための方法であって、
ａ）該１種又は複数の分析物のそれぞれから、質量分析により検出可能な１種又は複数のイオンを生成するのに適した条件下で、該サンプルをイオン源にかけるステップであって、該分析物は、イオン化の前に誘導体化されない、ステップと；
ｂ）質量分析により、該１種又は複数の分析物のそれぞれからの該１種又は複数のイオンの量を測定するステップと；
ｃ）該１種又は複数のイオンの測定された量を用いて、該サンプル中の該１種又は複数の分析物のそれぞれの量を決定するステップと
を含む方法。
【請求項２】
前記１種又は複数の分析物が、１種の分析物のみである場合、該１種の分析物は、クレアチニンでない、請求項１に記載の方法。
【請求項３】
２種以上の分析物の量が、決定される、請求項１に記載の方法。
【請求項４】
Ｎ−アセチルスレオニン、プソイドウリジン、フェニルアセチルグルタミン、及びトリプトファンの量が決定される、請求項１に記載の方法。
【請求項５】
Ｎ−アセチルスレオニン、フェニルアセチルグルタミン、トリプトファン、プソイドウリジン、及びクレアチニンの量が決定される、請求項１に記載の方法。
【請求項６】
前記１種又は複数の分析物のそれぞれの量を決定するために用いられる前記１種又は複数のイオンが、表３、４、５、６、及び７中のイオンから選択される１種又は複数のイオンである、請求項１から５までのいずれか一項に記載の方法。
【請求項７】
質量分析器が、正モードで操作される、請求項１から６までのいずれか一項に記載の方法。
【請求項８】
前記質量分析器が、負モードで操作される、請求項１から６までのいずれか一項に記載の方法。
【請求項９】
前記サンプルが、イオン源にかけられる前に、液体クロマトグラフィーにより精製されている、請求項１から８までのいずれか一項に記載の方法。
【請求項１０】
前記１種又は複数の分析物が、単回の注入で決定される、請求項１から９までのいずれか一項に記載の方法。
【請求項１１】
実行時間が、７分以下である、請求項１から１０までのいずれか一項に記載の方法。
【請求項１２】
Ｎ−アセチルスレオニン、プソイドウリジン、フェニルアセチルグルタミン、トリプトファン、及びＴＭＡＰの量が、決定される、請求項１に記載の方法。
【請求項１３】
Ｎ−アセチルスレオニン、フェニルアセチルグルタミン、トリプトファン、プソイドウリジン、クレアチニン、及びＴＭＡＰの量が、決定される、請求項１に記載の方法。
【請求項１４】
Ｎ−アセチルスレオニン、ＴＭＡＰ、プソイドウリジン、フェニルアセチルグルタミン、トリプトファン、クレアチニン、メソ−エリトリトール、アラビトール、ミオ−イノシトール、Ｎ−アセチルセリン、Ｎ−アセチルアラニン、３−メチルヒスチジン、ｔｒａｎｓ−４−ヒドロキシプロリン、キヌレニン、尿素、Ｃ−グリコシルトリプトファン、３−インドキシルスルファート及びそれらの組合せからなる群から選択される１種又は複数の分析物のそれぞれについての内部標準としての１種又は複数の同位体標識された類似体、並びに包装材料及びキットを用いるための指示を含むキット。
【請求項１５】
前記１種又は複数のアッセイされた分析物が、１種の分析物のみである場合、該１種の分析物は、クレアチニンでない、請求項１４に記載のキット。
【請求項１６】
前記１種又は複数の内部標準が、Ｎ−アセチル−ｄ３−ＤＬ−スレオニン−ｄ２、１３Ｃ３−Ｌ，Ｌ−ＴＭＡＰ、フェニルアセチルグルタミン−ｄ５、Ｌ−トリプトファン−ｄ５、クレアチニン−ｄ３、エリトリトール−１３Ｃ４、Ｄ−アラビニトール−１３Ｃ５、ミオ−イノシトール−ｄ６、アセチルセリン−ｄ３、Ｎ−アセチル−Ｌ−アラニン−ｄ４、３−メチル−Ｌ−ヒスチジン−ｄ３、ｔｒａｎｓ−４−ヒドロキシ−Ｌ−プロリン−ｄ３、キヌレニン−ｄ６、尿素−１３Ｃ，１５Ｎ２、プソイドウリジン−１３Ｃ１５Ｎ２、２−（α−Ｄ−マンノピラノシル）−Ｌ−トリプトファン−ｄ４、又は３−インドキシルスルファート−ｄ４を含む、請求項１４又は１５に記載のキット。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
異なる物理化学的性質を有する表面を有する複数の粒子を用いて、対象の生体サンプルを分析する方法であって、
前記生体サンプルのタンパク質を前記複数の粒子に結合させるために、前記生体サンプルを前記複数の粒子に接触させる工程と、
前記複数の粒子に結合するタンパク質を示す生体分子フィンガープリントを定める工程と、
前記生体分子フィンガープリントを前記対象の生体サンプルの生物学的状態と関連付ける工程と、を含み、
前記複数の粒子間のタンパク質の結合のパターンは、前記粒子の表面の物理化学的性質に応じて異なる
ことを特徴とする方法。
【請求項２】
前記複数の粒子へのタンパク質の結合が、前記複数の粒子に結合するより高い存在量のタンパク質と比較して、１００ｎｇ／ｍｌ以下の濃度で前記生体サンプル中のタンパク質の濃度を増加させる、請求項１に記載の方法。
【請求項３】
前記生体分子フィンガープリントが、前記生体サンプル中に、少なくとも６桁の濃度にわたるタンパク質を含む、請求項１に記載の方法。
【請求項４】
前記生体分子フィンガープリントが、前記生体サンプル中に、少なくとも１０桁の濃度にわたるタンパク質を含む、請求項１に記載の方法。
【請求項５】
前記生体分子フィンガープリントが、前記生体サンプル中に１ｍｇ／ｍｌより高い濃度で存在するタンパク質と、前記生体サンプル中に１ｎｇ／ｍｌ未満で存在するタンパク質と、を含む、請求項１に記載の方法。
【請求項６】
前記生体サンプル中の上位２０含量タンパク質が、前記生体分子フィンガープリントの結合タンパク質含量の６０％未満を示す、請求項１に記載の方法。
【請求項７】
前記生体分子フィンガープリントを定める工程が、前記生体サンプルからタンパク質の濃度を特定することを含む、請求項１に記載の方法。
【請求項８】
前記生体分子フィンガープリントを定める工程が、前記複数の粒子の中から第１の粒子と第２の粒子上のタンパク質の存在量を別々に識別することを含む、請求項１に記載の方法。
【請求項９】
前記生体分子フィンガープリントが少なくとも８００のユニークなタンパク質を含む、請求項１に記載の方法。
【請求項１０】
前記生体分子フィンガープリントが、少なくとも４から少なくとも１０の生体分子コロナシグネチャーを含む、請求項１に記載の方法。
【請求項１１】
前記生体サンプルが、タンパク質と、核酸と、脂質及び多糖類のうちの少なくとも１つと、を含む、請求項１に記載の方法。
【請求項１２】
前記複数の粒子のうちの粒子が、磁心を含む、請求項１に記載の方法。
【請求項１３】
前記生体分子フィンガープリントを定める工程が、複数のペプチド同定を生成することを含み、前記複数のペプチド同定のうちのペプチド同定が、前記ペプチド同定が確率閾値を超えた場合に、有効とされる、請求項１に記載の方法。
【請求項１４】
前記生体分子フィンガープリントを定める工程が、ゲル電気泳動法、液体クロマトグラフィー、質量分析法、ＮＭＲ、ＦＴＩＲ、円偏光二色性、ラマン分光法、およびこれらの組み合わせのうちの少なくとも１つを行うことを有する、少なくとも１つのタンパク質を同定することをさらに含む、請求項１に記載の方法。
【請求項１５】
前記複数の粒子が、固体基板上に固定されているか、前記固体基板に接続されているか、または前記固体基板に結合されている、請求項１に記載の方法。
【請求項１６】
前記粒子の表面の前記物理化学的性質が、電荷、組成、サイズ、疎水性、親水性、表面機能性、表面トポグラフィーおよび形状のうちの少なくとも１つを含む、請求項１に記載の方法。
【請求項１７】
請求項１の方法であって、前記異なる物理化学的性質が、陰イオン電荷、中性電荷、および正電荷を含む、請求項１に記載の方法。
【請求項１８】
前記生物学的状態が疾病状態である、請求項１に記載の方法。
【請求項１９】
前記生体分子フィンガープリントを前記対象の前記生物学的状態と関連付ける工程が、前記疾病状態の２つのステージを区別することを含む、請求項１８に記載の方法。
【請求項２０】
前記対象は、前記生物学的状態に関連する疾病又は障害の身体症状が現れていない、請求項１に記載の方法。
【請求項２１】
前記生体分子フィンガープリントを前記対象の前記生物学的状態と関連付けるために、複数の疾病または複数の疾病状態に関連する生体分子フィンガープリントのパネルに対して、前記生体サンプルの前記生体分子フィンガープリントを処理する工程をさらに含む、請求項１に記載の方法。
【請求項２２】
前記生体サンプル中の上位２０含量タンパク質が、前記生体分子フィンガープリントの結合タンパク質含量の９９％以上を示す、請求項１に記載の方法。
【請求項２３】
前記生体サンプルが複雑な生体サンプルである、請求項１に記載の方法。
【請求項２４】
前記複雑な生体サンプルは血漿サンプルである、請求項２３に記載の方法。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
ＰＶＴ解を用いてＧＮＳＳなりすまし信号を検出し除去するための方法であって、前記方法は、
選択されたＧＮＳＳ衛星からの複数のターゲットＧＮＳＳ信号を捕捉し追尾することと、
捕捉されたＧＮＳＳ信号についての利用可能な認証情報に基づいて、前記捕捉されたＧＮＳＳ信号の各々を、真正、未検証、あるいは偽造として識別することと、
真正あるいは未検証として識別されたＧＮＳＳ信号を追尾してさらに処理することを続行しつつ、偽造として識別された捕捉されたＧＮＳＳ信号を追尾及びさらなる処理から取り除くことと、
真正と識別されたＧＮＳＳ信号の第１のリストと、未検証と識別されたＧＮＳＳ信号の第２のリストとを生成し記憶することと、
各セットについて前記ＧＮＳＳ信号の第１のリスト及び前記ＧＮＳＳ信号の第２のリストの中から少なくとも４つのＧＮＳＳ信号を選択することによって、複数のＧＮＳＳ信号のセットを生成することであって、各セットは、前記第１のリスト上の真正ＧＮＳＳ信号のすべて（もしあれば）と、前記第２のリストからの少なくとも１つの未検証ＧＮＳＳ信号とを含んでいることと、
前記複数のＧＮＳＳ信号のセットの各々について、そのセット中のＧＮＳＳ信号に基づいて、位置、速度、及び時刻（ＰＶＴ）解及びポストフィット残差を計算し、それにより前記複数のＧＮＳＳ信号のセットに対応する複数の推定解を得ることと、
各未検証ＧＮＳＳ信号について、対応する未検証ＧＮＳＳ信号を含む各々のセットから得られた複数の推定解を分析することによって、各セットに含まれる未検証ＧＮＳＳ信号の各々の真正性を推定することと、
そこから前記ＰＶＴ解及びポストフィット残差が計算される対応するセット内の少なくとも１つの未検証ＧＮＳＳ信号の推定された真正性に基づいて、前記推定解のそれぞれの真正性及び正確性を推定することと、
そのそれぞれの真正性を伴う捕捉されたＧＮＳＳ信号のすべてのリストと、そのそれぞれの真正性及び正確性を伴うすべての可能なＰＶＴ解のリストとを生成して出力することと、
を備える、方法。
【請求項２】
前記複数のＧＮＳＳ信号を捕捉し追尾することは、
対応するＧＮＳＳ衛星に関する支援情報に基づいて、各ターゲットＧＮＳＳ信号についての探索領域を決定することと、
前記対応するＧＮＳＳ衛星からのターゲットＧＮＳＳ信号について、前記探索領域を探索することと、
前記ターゲットＧＮＳＳ信号についての第１の候補ＧＮＳＳ信号を捕捉した後、前記探索領域の全体が探索されるまで前記探索領域を探索することを継続し、それによって前記ターゲットＧＮＳＳ信号についての追加の候補ＧＮＳＳ信号を捕捉することと、
前記選択されたＧＮＳＳ衛星からの複数のターゲットＧＮＳＳ信号の各々について、捕捉された１つ以上の候補ＧＮＳＳ信号を追尾することと、
を含む、請求項１に記載の方法。
【請求項３】
前記探索領域は、遅延時間探索範囲及び周波数探索範囲を含む、請求項２に記載の方法。
【請求項４】
前記選択されたＧＮＳＳ衛星は、異なるＧＮＳＳのものからの衛星を含む、請求項１に記載の方法。
【請求項５】
前記ＧＮＳＳ信号は、異なる周波数帯域にあるＧＮＳＳ信号を含む、請求項１に記載の方法。
【請求項６】
前記認証情報は、
前記捕捉されたＧＮＳＳ信号に含まれるセキュリティコードと、
対応するターゲットＧＮＳＳ信号についての候補ＧＮＳＳ信号の真正性を検証するための情報と、
を含む、請求項１に記載の方法。
【請求項７】
前記ＰＶＴ解を計算することは、
少なくとも１つのセンサから位置情報を得ること
を含む、請求項１に記載の方法。
【請求項８】
前記少なくとも１つのセンサは、光学センサ及び慣性センサのうちの少なくとも１つを含む、請求項７に記載の方法。
【請求項９】
前記位置情報は、ＧＮＳＳ受信機の軌道を含む、請求項７に記載の方法。
【請求項１０】
最も高い真正性及び正確性を有するＰＶＴ解をＧＮＳＳ受信機出力として出力すること
をさらに備える、請求項１に記載の方法。
【請求項１１】
前記捕捉されたＧＮＳＳ信号は、前記捕捉されたＧＮＳＳ信号についていかなる認証情報も利用可能でない場合に、未検証として識別される、請求項１に記載の方法。
【請求項１２】
実行可能なプログラムがその上に格納されている非一時的コンピュータ可読記憶媒体であって、前記プログラムは、請求項１乃至１１の何れか一項に記載の方法を実行するようにマイクロプロセッサに命令する、非一時的コンピュータ可読記録媒体。
【請求項１３】
請求項１乃至１１の何れか一項に記載の方法を実行するように構成されたＧＮＳＳ受信機。